【手続補正書】
【提出日】令和1年11月25日(2019.11.25)
【手続補正１】
【補正対象書類名】特許請求の範囲
【補正対象項目名】全文
【補正方法】変更
【補正の内容】
【特許請求の範囲】
【請求項１】
生体に装着された状態で前記生体から生体情報を継続的に測定する生体情報測定装置であって、
前記生体情報測定装置が前記生体に装着されている装着状態において、前記生体情報測定装置を装着中の使用者が予め登録された登録使用者であるか否かを判定し判定結果を記憶する個人識別部と、
前記使用者が前記登録使用者であるとする判定結果が記憶された場合に、前記登録使用者を示す情報を前記測定された生体情報と対応付けて記憶する記憶制御部と、
前記生体との接触を検知する静電容量式タッチセンサ又は圧力センサから成る着脱検知用センサと、
前記着脱検知用センサの出力信号が前記生体との接触を検知していることを示すものであれば装着状態であると判定し、前記着脱検知用センサの出力信号が前記生体との接触を検知していないことを示すものであれば非装着状態であると判定する着脱判定部と、を備え、
前記個人識別部は、前記着脱判定部により前記非装着状態であると判定されている期間が１秒を超える場合に、前記登録使用者であるか否かの判定結果を消去する生体情報測定装置。
【請求項２】
請求項１記載の生体情報測定装置であって、
前記記憶制御部は、前記使用者が前記登録使用者ではないとする判定結果が記憶された場合に、非登録使用者を示す情報を前記測定された生体情報と対応付けて記憶する生体情報測定装置。
【請求項３】
請求項２記載の生体情報測定装置であって、
前記記憶制御部が前記生体情報に対応付けて記憶する前記情報の内容を報知する報知部を更に備える生体情報測定装置。
【請求項４】
生体に装着された状態で前記生体から生体情報を継続的に測定する生体情報測定装置によって測定された生体情報の管理方法であって、
前記生体情報測定装置が前記生体に装着されている装着状態において、前記生体情報測定装置を装着中の使用者が予め登録された登録使用者であるか否かを判定し判定結果を記憶する判定結果記憶ステップと、
前記使用者が前記登録使用者であるとする判定結果が記憶された場合に、前記登録使用者を示す情報を前記測定された生体情報と対応付けて記憶する生体情報記憶ステップと、
前記生体との接触を検知する静電容量式タッチセンサ又は圧力センサから成る着脱検知用センサの出力信号が前記生体との接触を検知していることを示すものであれば装着状態であると判定し、前記着脱検知用センサの出力信号が前記生体との接触を検知していないことを示すものであれば非装着状態であると判定する装着・非装着判定ステップと、
前記装着・非装着判定ステップにおいて、前記非装着状態であると判定されている期間が１秒を超える場合に、前記判定結果記憶ステップでの判定結果を消去する判定結果消去ステップと、を備える生体情報の管理方法。
【請求項５】
生体に装着された状態で前記生体から生体情報を継続的に測定する生体情報測定装置によって測定された生体情報の管理プログラムであって、
前記生体情報測定装置が前記生体に装着されている装着状態において、前記生体情報測定装置を装着中の使用者が予め登録された登録使用者であるか否かを判定し判定結果を記憶する判定結果記憶ステップと、
前記使用者が前記登録使用者であるとする判定結果が記憶された場合に、前記登録使用者を示す情報を前記測定された生体情報と対応付けて記憶する生体情報記憶ステップと、
前記生体との接触を検知する静電容量式タッチセンサ又は圧力センサから成る着脱検知用センサの出力信号が前記生体との接触を検知していることを示すものであれば装着状態であると判定し、前記着脱検知用センサの出力信号が前記生体との接触を検知していないことを示すものであれば非装着状態であると判定する装着・非装着判定ステップと、
前記装着・非装着判定ステップにおいて、前記非装着状態であると判定されている期間が１秒を超える場合に、前記判定結果記憶ステップでの判定結果を消去する判定結果消去ステップと、をコンピュータに実行させるための生体情報の管理プログラム。
【手続補正２】
【補正対象書類名】明細書
【補正対象項目名】００１４
【補正方法】変更
【補正の内容】
【００１４】
本発明の生体情報測定装置は、生体に装着された状態で前記生体から生体情報を継続的に測定する生体情報測定装置であって、前記生体情報測定装置が前記生体に装着されている装着状態において、前記生体情報測定装置を装着中の使用者が予め登録された登録使用者であるか否かを判定し判定結果を記憶する個人識別部と、前記使用者が前記登録使用者であるとする判定結果が記憶された場合に、前記登録使用者を示す情報を前記測定された生体情報と対応付けて記憶する記憶制御部と、前記生体との接触を検知する静電容量式タッチセンサ又は圧力センサから成る着脱検知用センサと、前記着脱検知用センサの出力信号が前記生体との接触を検知していることを示すものであれば装着状態であると判定し、前記着脱検知用センサの出力信号が前記生体との接触を検知していないことを示すものであれば非装着状態であると判定する着脱判定部と、を備え、前記個人識別部は、前記着脱判定部により前記非装着状態であると判定されている期間が１秒を超える場合に、前記登録使用者であるか否かの判定結果を消去するものである。
【手続補正３】
【補正対象書類名】明細書
【補正対象項目名】００１５
【補正方法】変更
【補正の内容】
【００１５】
本発明の生体情報の管理方法は、生体に装着された状態で前記生体から生体情報を継続的に測定する生体情報測定装置によって測定された生体情報の管理方法であって、前記生体情報測定装置が前記生体に装着されている装着状態において、前記生体情報測定装置を装着中の使用者が予め登録された登録使用者であるか否かを判定し判定結果を記憶する判定結果記憶ステップと、前記使用者が前記登録使用者であるとする判定結果が記憶された場合に、前記登録使用者を示す情報を前記測定された生体情報と対応付けて記憶する生体情報記憶ステップと、前記生体との接触を検知する静電容量式タッチセンサ又は圧力センサから成る着脱検知用センサの出力信号が前記生体との接触を検知していることを示すものであれば装着状態であると判定し、前記着脱検知用センサの出力信号が前記生体との接触を検知していないことを示すものであれば非装着状態であると判定する装着・非装着判定ステップと、前記装着・非装着判定ステップにおいて、前記非装着状態であると判定されている期間が１秒を超える場合に、前記判定結果記憶ステップでの判定結果を消去する判定結果消去ステップと、を備えるものである。
【手続補正４】
【補正対象書類名】明細書
【補正対象項目名】００１６
【補正方法】変更
【補正の内容】
【００１６】
本発明の生体情報の管理プログラムは、生体に装着された状態で前記生体から生体情報を継続的に測定する生体情報測定装置によって測定された生体情報の管理プログラムであって、前記生体情報測定装置が前記生体に装着されている装着状態において、前記生体情報測定装置を装着中の使用者が予め登録された登録使用者であるか否かを判定し判定結果を記憶する判定結果記憶ステップと、前記使用者が前記登録使用者であるとする判定結果が記憶された場合に、前記登録使用者を示す情報を前記測定された生体情報と対応付けて記憶する生体情報記憶ステップと、前記生体との接触を検知する静電容量式タッチセンサ又は圧力センサから成る着脱検知用センサの出力信号が前記生体との接触を検知していることを示すものであれば装着状態であると判定し、前記着脱検知用センサの出力信号が前記生体との接触を検知していないことを示すものであれば非装着状態であると判定する装着・非装着判定ステップと、前記装着・非装着判定ステップにおいて、前記非装着状態であると判定されている期間が１秒を超える場合に、前記判定結果記憶ステップでの判定結果を消去する判定結果消去ステップと、をコンピュータに実行させるためのものである。